【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
下記式（１ａ）で表される構成単位を含む高分子化合物。
2010150518.tif 000001
〔式中、Ａ環及びＢ環はそれぞれ独立に、置換基を有していてもよい芳香族炭化水素環を表す。Ｒ1は下記式（２）で表される基である。Ｒ2はアリール基又は１価の芳香族複素環基を表し、これらの基における水素原子は、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。〕
2010150518.tif 000002
〔式中、Ａｒ1は、アリーレン基、又は同一若しくは異なる２個以上のアリーレン基が直結した２価の基を表す。Ａｒ4及びＡｒ5はそれぞれ独立に、アリール基又は１価の芳香族複素環基を表す。Ａｒ2及びＡｒ3はそれぞれ独立に、アリーレン基、又は２価の芳香族複素環基を表す。Ａｒ2及びＡｒ3がフェニレン基である場合、それらのフェニレン基に結合する窒素原子からみてオルト位に位置する、Ａｒ2で表されるフェニレン基上の炭素原子の１個と、Ａｒ3で表されるフェニレン基上の炭素原子の１個とが、互いに直結して、又は−Ｏ−、−Ｓ−、−Ｃ(＝Ｏ)−、−Ｃ(＝Ｏ)−Ｏ−、−Ｎ(Ｒ6)−、−Ｃ(＝Ｏ)−Ｎ(Ｒ6)−若しくは−Ｃ(Ｒ6)(Ｒ6)−で結合して、５〜７員環を形成していてもよい。Ｒ6は、水素原子、アルキル基、アリール基、又は１価の芳香族複素環基を表す。Ａｒ1、Ａｒ2、Ａｒ3、Ａｒ4、Ａｒ5及びＲ6で表される基における水素原子は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。Ｒ6が複数存在する場合、それらは、同一であっても異なっていてもよい。〕
【請求項２】
前記式（１ａ）で表される構成単位が下記式（１）で表される構成単位である請求項１に記載の高分子化合物。
2010150518.tif 000003
〔式中、Ｒ1及びＲ2は前記と同じ意味を表す。Ｒ3a、Ｒ4a、Ｒ5a、Ｒ3b、Ｒ4b及びＲ5bはそれぞれ独立に、水素原子、アルキル基、アリール基、１価の芳香族複素環基、−Ｎ(Ｒ8)(Ｒ9)、フッ素原子又はシアノ基を表す。Ｒ8及びＲ9はそれぞれ独立に、水素原子、アルキル基、アリール基、又は１価の芳香族複素環基を表す。Ｒ3a、Ｒ4a、Ｒ5a、Ｒ3b、Ｒ4b、Ｒ5b、Ｒ8及びＲ9で表されるアリール基及び１価の芳香族複素環基における水素原子は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。Ｒ3aとＲ4a、Ｒ3bとＲ4b、Ｒ3aとＲ3b、及びＲ8とＲ9は、各々、一緒になって環を形成していてもよい。〕
【請求項３】
前記Ｒ2が、アルキル基若しくはアリール基で置換されたアリール基、又は非置換のアリール基である請求項１又は２に記載の高分子化合物。
【請求項４】
前記式（２）で表される基が下記式（２−０００）又は（２−１００）で表される基である請求項１〜３のいずれか一項に記載の高分子化合物。
2010150518.tif 000004
〔式中、Ａｒ4及びＡｒ5は前記と同じ意味を表す。〕
【請求項５】
さらに、下記式（３）〜（５）で表される構成単位からなる群から選ばれる少なくとも一種の構成単位を含む請求項１〜４のいずれか一項に記載の高分子化合物。
2010150518.tif 000005
2010150518.tif 000006
2010150518.tif 000007
〔式中、Ａｒ8及びＡｒ16はそれぞれ独立に、アリーレン基、若しくは２価の芳香族複素環基、又は該アリーレン基及び該２価の芳香族複素環基からなる群から選ばれる同一若しくは異なる２個以上の基が直結した２価の基を表す。Ａｒ9、Ａｒ10、Ａｒ11及びＡｒ12はそれぞれ独立に、アリーレン基、又は同一若しくは異なる２個以上のアリーレン基が直結した２価の基を表す。Ａｒ13、Ａｒ14及びＡｒ15はそれぞれ独立に、アリール基又は１価の芳香族複素環基を表す。Ａｒ8及びＡｒ16で表されるアリーレン基、２価の芳香族複素環基及び２価の基における水素原子は、各々、アルキル基、アルコキシ基、アルキルチオ基、置換カルボニル基、置換カルボキシル基、アリール基、アリールオキシ基、アリールチオ基、アラルキル基、１価の芳香族複素環基、−Ｎ(Ｒ8)(Ｒ9)、フッ素原子又はシアノ基で置換されていてもよい。Ａｒ9、Ａｒ10、Ａｒ11、Ａｒ12、Ａｒ13、Ａｒ14及びＡｒ15で表される基における水素原子は、各々、アルキル基、アルコキシ基、アルキルチオ基、置換カルボニル基、置換カルボキシル基、アリール基、アリールオキシ基、アリールチオ基、アラルキル基、１価の芳香族複素環基、フッ素原子又はシアノ基で置換されていてもよい。Ａｒ11、Ａｒ14及びＡｒ15で表される基からなる群から選ばれる基は、該基と同一の窒素原子に結合するＡｒ9、Ａｒ10、Ａｒ11、Ａｒ12、Ａｒ13、Ａｒ14及びＡｒ15で表される基からなる群から選ばれる基と、互いに直結して、又は−Ｏ−、−Ｓ−、−Ｃ(＝Ｏ)−、−Ｃ(＝Ｏ)−Ｏ−、−Ｎ(Ｒ6)−、−Ｃ(＝Ｏ)−Ｎ(Ｒ6)−又は−Ｃ(Ｒ6)(Ｒ6)−で結合して、５〜７員環を形成していてもよい。ｍ及びｍｍはそれぞれ独立に、０又は１である。Ｘ1は、−Ｃ(Ｒ7)＝Ｃ(Ｒ7)−又は−Ｃ≡Ｃ−を表す。Ｒ7は、水素原子、アルキル基、アリール基、１価の芳香族複素環基、フッ素原子又はシアノ基を表す。Ｒ7で表される基は、置換基を有していてもよい。Ａｒ10、Ａｒ11、Ａｒ14及びＡｒ15が複数ある場合、それらは、各々、同一であっても異なっていてもよい。Ｒ6、Ｒ8及びＲ9は、前記と同じ意味を表す。〕
【請求項６】
全構成単位の合計モル数に対する、前記式（１ａ）で表される構成単位、前記式（３）で表される構成単位、前記式（４）で表される構成単位、及び前記式（５）で表される構成単位の合計モル数が９０〜１００％である請求項５に記載の高分子化合物。
【請求項７】
ポリスチレン換算の数平均分子量が１×１０3〜１×１０8である請求項１〜６のいずれか一項に記載の高分子化合物。
【請求項８】
下記式（Ａ）で表される化合物。
2010150518.tif 000008
〔式中、Ｒ1、Ｒ2、Ｒ3a、Ｒ4a、Ｒ5a、Ｒ3b、Ｒ4b及びＲ5bは前記と同じ意味を有する。
Ｘa及びＸbはそれぞれ独立に、臭素原子、ヨウ素原子、塩素原子、−Ｏ−Ｓ(＝Ｏ)2Ｒ20、−Ｂ(ＯＲ21)2、−ＢＦ4Ｑ1、−Ｓｎ(Ｒ22)3、−ＭｇＹ1又は−ＺｎＹ1を表す。Ｒ20は、アルキル基、又はアルキル基、アルコキシ基、ニトロ基、フッ素原子若しくはシアノ基で置換されていてもよいアリール基を表す。Ｒ21及びＲ22はそれぞれ独立に、水素原子又はアルキル基を表す。２個あるＲ21は同一であっても異なっていてもよく、一緒になって環を形成していてもよい。３個あるＲ22は同一であっても異なっていてもよく、一緒になって環を形成していてもよい。Ｑ1は、リチウム、ナトリウム、カリウム、ルビジウム又はセシウムの１価の陽イオンを表す。Ｙ1は、臭素原子、ヨウ素原子又は塩素原子を表す。〕
【請求項９】
請求項１〜７のいずれか一項に記載の高分子化合物を含有する組成物。
【請求項１０】
請求項１〜７のいずれか一項に記載の高分子化合物と溶媒とを含有する溶液。
【請求項１１】
請求項１〜７のいずれか一項に記載の高分子化合物を含有する薄膜。
【請求項１２】
陽極及び陰極からなる電極と、該電極間に設けられた請求項１〜７のいずれかに記載の高分子化合物を含有する有機層とを有する発光素子。
【請求項１３】
請求項１２に記載の発光素子を備えた面状光源。
【請求項１４】
請求項１２に記載の発光素子を備えた表示装置。
【手続補正２】
【補正対象書類名】明細書
【補正対象項目名】０１５７
【補正方法】変更
【補正の内容】
【０１５７】
前記導電性薄膜は、表面抵抗が１ｋΩ／□以下であることが好ましく、１００Ω／□以下であることがより好ましく、１０Ω／□以下であることがさらに好ましい。該導電性薄膜に、ルイス酸、イオン性化合物等をドープすることにより、電気伝導度を高めることができる。
【手続補正３】
【補正対象書類名】明細書
【補正対象項目名】０２３５
【補正方法】変更
【補正の内容】
【０２３５】
＜実施例１０＞
実施例９において、高分子化合物Ｐ１の０．８重量％キシレン溶液に代えて、高分子化合物Ｐ１に、前記発光材料ＥＭ−Ａを５重量％添加した混合物の０．８重量％キシレン溶液を用いたこと以外は、実施例９と同様にして、フォトルミネッセンス量子率を測定した。その結果、量子収率は２４％であり、発光スペクトルより求めた色度座標Ｃ．Ｉ．Ｅ．１９３１は（ｘ，ｙ）＝（０．３７，０．５２）と緑色発光を示した。これらの結果を表２に示す。
【手続補正４】
【補正対象書類名】明細書
【補正対象項目名】０２３６
【補正方法】変更
【補正の内容】
【０２３６】
＜実施例１１＞
実施例９において、高分子化合物Ｐ１の０．８重量％キシレン溶液に代えて、高分子化合物Ｐ１に、前記発光材料ＥＭ−Ｂを５重量％添加した混合物の０．８重量％キシレン溶液を用いたこと以外は、実施例９と同様にして、フォトルミネッセンス量子率を測定した。その結果、量子収率は７３％であり、発光スペクトルより求めた色度座標Ｃ．Ｉ．Ｅ．１９３１は（ｘ，ｙ）＝（０．３０，０．６２）と緑色発光を示した。これらの結果を表２に示す。
【手続補正５】
【補正対象書類名】明細書
【補正対象項目名】０２３７
【補正方法】変更
【補正の内容】
【０２３７】
＜実施例１２＞
実施例９において、高分子化合物Ｐ１の０．８重量％キシレン溶液に代えて、高分子化合物Ｐ１に、下記式：
2010150518.tif 000009
で表される発光材料ＥＭ−Ｃ（アメリカンダイソース社製、商品名：ADS077RE）を５重量％添加した混合物の０．８重量％キシレン溶液を用いたこと以外は、実施例９と同様にして、フォトルミネッセンス量子率を測定した。その結果、量子収率は２４％であり、発光スペクトルより求めた色度座標Ｃ．Ｉ．Ｅ．１９３１は（ｘ，ｙ）＝（０．５１，０．２２）と赤色発光を示した。これらの結果を表２に示す。
【手続補正６】
【補正対象書類名】明細書
【補正対象項目名】０２３８
【補正方法】変更
【補正の内容】
【０２３８】
＜実施例１３＞
実施例９において、高分子化合物Ｐ１の０．８重量％キシレン溶液に代えて、高分子化合物Ｐ１に、下記式：
2010150518.tif 000010
で表される発光材料ＥＭ−Ｄ（東京化成工業株式会社製、５，６，１１，１２−テトラフェニルナフタセン）を１０重量％添加した混合物の０．８重量％キシレン溶液を用いたこと以外は、実施例９と同様にして、フォトルミネッセンス量子収率を測定した。その結果、量子収率は５８％であり、発光スペクトルより求めた色度座標Ｃ．Ｉ．Ｅ．１９３１は（ｘ，ｙ）＝（０．４８，０．４９）と黄色発光を示した。これらの結果を表２に示す。